(57)【要約】改良された漏話特性を有するハイブリッドアセンブリは上部表面111を有する基板101を備えている。上部表面上の導電路は高周波数信号を伝送する。低速波特性を有する電磁バンドギャップ（ＥＢＧ）材料からなる正多角形501、503は上部表面上に設けられ、上部表面をモザイク状にする格子を形成する。各多角形は周辺部を有する。多角形は間隙により隣接する多角形からそれらの周辺部に沿って分離され、絶縁材料で被覆されている。第２の多角形804、808も電磁バンドギャップ材料からなり、絶縁材料上に付着されている。バイア828は第２の多角形10を接地平面307に接続する。半導体構造404、406が第２の多角形上に取り付けられている。半導体構造は導電路を有する複数の電気接触部を有する。正多角形は格子を形成する六角形、三角形、八角形または任意の他の組合わせでもよく、基板上に印刷されることができる。【選択図】図３
2007527629.tif 000002
【特許請求の範囲】
【請求項１】
動作周波数で動作するハイブリッドアセンブリにおいて、
上部表面（111）と、接地電位に接続されている導電層（307）により被覆されている下部表面とを有する基板（101）と、
前記基板（101）の前記上部表面に沿って高い周波数の信号を伝送するための前記上部表面上の導電路と、
前記上部表面上における第１の電磁バンドギャップ材料で作られている第１の多角形（501）とを具備し、
前記第１の電磁バンドギャップ材料は第１の帯域で低速波特性を有し、前記第１の多角形は前記上部表面をモザイク状にするための格子を形成し、前記各第１の多角形は第１の位置に第１の周辺部を有し、前記各第１の多角形は第１の間隙によって隣接する第１の多角形から前記第１の周辺部に沿って分離されており、前記各第１の多角形は前記導電路から第１の距離だけ分離され、前記第１の各多角形は第１の導電性バイア（505）に接続され、前記第１導電性バイアは前記基板を横切り、前記基板の前記下部表面上の前記導電層（307）に接続されているハイブリッドアセンブリ。
【請求項２】
前記第１の多角形は六角形（501）である請求項１記載のハイブリッドアセンブリ。
【請求項３】
前記第１の多角形は三角形（701）である請求項１記載のハイブリッドアセンブリ。
【請求項４】
前記第１の多角形は八角形（601）である請求項１記載のハイブリッドアセンブリ。
【請求項５】
第１の多角形の前記第１の周辺部は前記ハイブリッドの前記動作周波数に反比例している請求項１記載のハイブリッドアセンブリ。
【請求項６】
前記周辺部に沿った前記第１の間隙は前記ハイブリッドの前記動作周波数に反比例している請求項１記載のハイブリッドアセンブリ。
【請求項７】
前記第１の多角形上に位置されている絶縁層（905）と、
第２の電磁バンドギャップ材料からなり、前記絶縁層上に形成されている第２の多角形（814、820）と、
前記第２の多角形上に取り付けられている半導体構造（406）とをさらに具備し、
前記第２の電磁バンドギャップ材料は第２の帯域において低速波特性を有し、前記第２の多角形は前記上部表面をモザイク状にするための格子を形成しており、前記各第２の多角形は第２の位置に第２の周辺部を有し、前記第２の多角形はそれぞれ隣接する第２の多角形から前記第２の周辺部に沿って第２の間隙によって分離されており、前記第２の多角形は前記導電路から第２の距離だけ分離され、前記第２の多角形はそれぞれ第２の導電性バイア（828）に接続され、前記第２の導電性バイアは前記基板を横切り、前記基板の前記下部表面上の前記導電層に接続されており、
前記半導体構造は前記導電路と接続される複数の電気接触部（410、412）を有している請求項１記載のハイブリッドアセンブリ。
【請求項８】
前記第２の多角形は六角形（804、808）である請求項７記載のハイブリッドアセンブリ。
【請求項９】
前記第２の多角形は三角形である請求項７記載のハイブリッドアセンブリ。
【請求項１０】
前記第２の多角形は八角形である請求項７記載のハイブリッドアセンブリ。
【請求項１１】
前記第２の位置は前記第１の間隙よりも大きい量だけ前記第１の位置から分離されている請求項７記載のハイブリッドアセンブリ。
【請求項１２】
前記第２の間隙は前記第１の間隙に等しい請求項１１記載のハイブリッドアセンブリ。
【請求項１３】
前記第２の多角形は前記第１の多角形と同じである請求項１１記載のハイブリッドアセンブリ。
【請求項１４】
前記第２の周辺部は前記第１の周辺部に等しい請求項１１記載のハイブリッドアセンブリ。
【請求項１５】
基板の上部表面に沿って高い周波数の信号を伝送するための導電路を形成し、
前記上部表面上に第１の多角形（806）を設けるステップを含んでおり、
前記第１の多角形は第１の電磁バンドギャップ材料から形成され、前記第１の電磁バンドギャップ材料は第１の帯域で低速波特性を有し、前記第１の多角形は前記上部表面をモザイク状にするための格子を形成し、前記第１の多角形はそれぞれ第１の位置に第１の周辺部を有し、前記各第１の多角形は隣接する第１の多角形から前記第１の周辺部に沿って第１の間隙によって分離され、前記各第１の多角形は前記導電路から第１の距離だけ分離され、前記各第１の多角形は第１の導電性バイア（826）に接続され、前記第１の導電性バイアは前記基板を横切り、前記基板の前記下部表面上の前記導電層（307）に接続されるハイブリッドアセンブリの製造方法。
【請求項１６】
半導体構造（404、406）を前記第１の多角形の上に取り付けるステップをさらに含み、前記半導体構造は前記導電路と接続される複数の電気接触部を有している請求項１５記載のハイブリッドアセンブリの製造方法。
【請求項１７】
前記第１の多角形は六角形（806）である請求項１５記載のハイブリッドアセンブリの製造方法。
【請求項１８】
前記第１の多角形は三角形である請求項１５記載のハイブリッドアセンブリの製造方法。
【請求項１９】
前記第１の多角形は八角形（618）である請求項１５記載のハイブリッドアセンブリの製造方法。
【請求項２０】
前記第１の多角形は、前記基板の前記上部表面を前記第１の多角形によりモザイク状にするための印刷手順を使用して、前記上部表面上に付着される請求項１５記載のハイブリッドアセンブリの製造方法。
【請求項２１】
前記第１の多角形上に絶縁層（905）を付着させ、
前記絶縁層上に第２の電磁バンドギャップ材料から形成されている第２の多角形（814）を付着させ、
半導体構造（404、406）を前記第２の多角形上に取り付けるステップをさらに含んでおり、
前記第２の電磁バンドギャップ層材料は第２の帯域において低速波特性を有し、前記第２の多角形は前記上部表面をモザイク状にするための格子を形成し、前記各第２の多角形は第２の位置に第２の周辺部を有し、各前記第２の多角形は隣接する第２の多角形から前記第２の周辺部に沿って第２の間隙によって分離され、前記第２の多角形は前記導電路から第２の距離だけ分離され、前記第２の多角形はそれぞれ第２の導電性バイア（828）に接続され、前記第２の導電性バイアは前記基板を横切り、前記基板の前記下部表面上の前記導電層（307）に接続されており、
前記半導体構造は前記導電路を接続される複数の電気接触部を有している請求項１５記載のハイブリッドアセンブリの製造方法。
【請求項２２】
前記第２の多角形は六角形（808）である請求項２１記載のハイブリッドアセンブリの製造方法。
【請求項２３】
前記第２の多角形は三角形である請求項２１記載のハイブリッドアセンブリの製造方法。
【請求項２４】
前記第２の多角形は八角形（602、604）である請求項２１記載のハイブリッドアセンブリの製造方法。
【請求項２５】
前記第２の多角形は印刷手順を使用して付着される請求項２１記載のハイブリッドアセンブリの製造方法。
【請求項２６】
前記第１の帯域は前記第２の帯域と同じである請求項２６記載のハイブリッドアセンブリの製造方法。
【請求項２７】
前記第１の周辺部は前記第２の周辺部と同じである請求項２６記載のハイブリッドアセンブリの製造方法。
【請求項２８】
前記第１の間隙は前記第２の間隙と同じである請求項２７記載のハイブリッドアセンブリの製造方法。
【請求項２９】
前記第１の間隙、前記第２の間隙、前記第１の周辺部、前記第２の周辺部、前記第１の電磁バンドギャップ材料、前記第２の電磁バンドギャップ材料は、前記基板の前記上部表面と前記半導体構造との間で伝送される望ましくない信号に対して前記動作周波数における減衰器を形成するように選択される請求項２８記載のハイブリッドアセンブリの製造方法。
【発明の詳細な説明】
【技術分野】
【０００１】
本発明はマイクロ波周波数でのハイブリッドアセンブリにおける漏話の抑制技術の分野に関する。
【背景技術】
【０００２】
半導体構造の１例であるモノリシック集積回路（ＭＭＩＣ）は、多くの現世代の軍用および商用の無線周波数センサおよび通信応用をサポートしている。ＭＭＩＣは砒化ガリウム等の単一の半絶縁基板に集積された電界効果トランジスタおよびバイポーラトランジスタのような能動装置およびキャパシタ、薄膜／バルクな抵抗およびインダクタのような受動素子を含んでいる。
【０００３】
ハイブリッド技術は単層または多層構造において、ＭＭＩＣのような複数の別々の半導体構造をホスト基板に相互接続するために使用される方法に関する。ハイブリッドでは、半導体構造間の相互接続は時には、ホスト基板の表面に沿っている。これらの相互接続はしばしばバンプ（軟質はんだまたは硬質めっきされたバンプ）に接続された金属化通路を使用して行われる。基板表面に位置するこれらのバンプは半導体構造上に導電パッドと結合し、したがってホスト基板と半導体構造との間に導電性の相互接続通路を形成する。バンプは接続のためのワイヤ結合の代りとして用いられる。ワイヤ結合よりも優れたバンプの利点には、ウェハの薄化バイア孔の形成、金属付着のようなウェハ背面の処理ステップの必要をなくすことが含まれている。
【０００４】
相互接続目的のために表面バンプを使用する別の利点は半導体構造とホスト基板との間の低い熱抵抗である。バンプ接続の低い熱抵抗は、ホスト基板と半導体構造との間の接触表面領域が比較的大きいためである。熱導電はまたワイヤ相互接続と比較して、バンプの直径が大きく長さが短いことにより容易にされる。バンプとワイヤの両者は熱導電金属から作られるが、バンプの望ましい縦横比と広い表面積は典型的に細く長いワイヤ結合と比較して低い熱抵抗を示す。バンプにより与えられる低い熱通路は半導体構造から除去される熱導電を容易にし、特に熱源の直接下で熱バンプを使用するとき、半導体／基板ハイブリッドアセンブリで高いパワー密度を可能にする。高いパワー密度はハイブリッドの高い性能を可能にする。
【０００５】
相互接続の目的のためバンプを使用するさらに別の利点は、ワイヤ結合及びバイアと共に存在するキャパシタンス、インダクタンス、無線放射のような寄生効果を減少することである。高周波数で、細く長いワイヤ結合と、その基板の厚さを横切るバイアは電磁干渉の放射用のアンテナとして考えられることができる。同じワイヤ及びバイアは隣接する構造に対してキャパシタンスを与え、またインダクタンスをワイヤにより送信される信号に対して与える。
【０００６】
バンプの他の利点は価格を下げ、信頼性を高めることである。典型的なバンプ型接続は単一のエポキシ硬化／はんだリフローダイ接着プロセスを使用して効率的に完成されることができる。これはワイヤ結合技術と比較して製造工程数を減少させる。バンプ相互接続では、振動によるぐらつき、熱サイクルによる中断または故障のような機械的なワイヤ接続による問題は存在しない
【発明の開示】
【発明が解決しようとする課題】
【０００７】
バンプはワイヤ相互接続と比較して有効であるが、半導体構造とホスト基板との間に存在することによって、特有の電磁共振と放射パッケージングの問題を生じる。第１に、ホスト基板上のバンプとその上に取付けられている半導体構造との間のインターフェースにより与えられる垂直無線周波数相互接続変位の最適化が行われる。その後、半導体構造とホスト基板、およびホスト基板の対向表面間のインターフェースに潜在的な電磁結合効果が存在する。
【０００８】
ホスト基板上に取り付けられた半導体構造により生じる特別な難点は、電磁境界の潜在的な形成であり、これはエネルギ伝播の不所望な平行プレートの導波体のような（表面モード）をサポートする。このような不所望なモードはホスト基板の表面近くを伝播し、信号干渉のために半導体の性能の劣化を生じる。半導体の性能の劣化は半導体構造の入力と出力との間での不所望な信号転送により生じ、利得及び位相応答特性、多通路／多チャンネル回路応用における隣接通路間における分離の損失に影響し、回路の不安定性を生成する。これらの悪影響は望ましくない結合またはフィードバック路のためである。
【０００９】
これらの不所望なフィードバック路が存在する中で、半導体の最大周波数の動作は、半導体構造の寸法に依存しており、望ましいものではない。したがって、動作周波数の波長に関して大きい寸法を有する半導体構造は潜在的な欠点を与える。この欠点はホスト基板上に取付けられている高速度砒化ガリウム（ＧａＡｓ）半導体構造でよく知られている。動作周波数波長による方法と比較して、ＧａＡｓの比較的大きい半導体サイズは動作帯域の上端のカットオフ周波数に近づく。カットオフ周波数近くでは、半導体構造は機能するが、入来信号が相互に干渉するために動作できなくなる。
【００１０】
従来の技術では、信号干渉はエネルギ伝送の表面モードをなくすために半導体構造表面上に計略的に配置されている接地された相互接続バンプを設けることにより減少させている。ホスト基板上の接地パッドに直接接触することにより、表面モードの通路は中断される。これらの接地された相互接続バンプは遮蔽体のように作用し、ホスト基板の表面に沿って伝播する電磁エネルギが伝搬する通路を変更しようとする。残念ながら、半導体構造の制限とアセンブリの要求のために、表面を伝播する電磁波に対する障害として冗長接地バンプを使用するこの実用手段はさらに半導体構造と基板の寸法の両者を増加し、重量、電力消費を増加し、結果的なハイブリッドの信頼性を低下させる。
【課題を解決するための手段】
【００１１】
前述の欠点は本発明のハイブリッドアセンブリにより改良され、このハイブリッドアセンブリは、
上部表面を有する基板と、
基板上に最初に配置された導電層からエッチングされている前記基板の前記上部表面に沿って高い周波数の信号を伝送するための前記上部表面上の導電路と、
前記上部表面上における第１の電磁バンドギャップ材料で作られている第１の多角形とを具備し、前記第１の電磁バンドギャップ材料は第１の帯域で低速波特性を有し、前記第１の多角形は前記上部表面をモザイク状にするための格子を形成し、前記各第１の多角形は第１の位置に第１の周辺部を有し、前記第１の多角形はそれぞれ第１の間隙によって隣接する第１の多角形から前記第１の周辺部に沿って分離され、前記第１の各多角形は前記導電路から第１の距離だけ分離され、前記第１の多角形はそれぞれ第１の導電性バイアに接続され、前記第１の導電性バイアは前記基板を横切り、前記基板の下部表面上の前記導電層に接続されている。
【００１２】
ＥＢＧ多角形の単一層を使用するとき、半導体構造は前記第１の多角形上に取り付けられる。前記半導体構造は前記導電路と接続される複数の電気接触部を有し、電気的にＥＢＧ多角形から分離されている。
【００１３】
表面波の減衰がさらに必要であるならば、絶縁層が前記第１の多角形上に位置される。第２の多角形は同じものまたは第２の電磁バンドギャップ材料から作られ、前記絶縁層上に位置され、第１の多角形と同一の領域をモザイク状にしている。したがって、第２の多角形もまた丁度第１の多角形のように、前記上部表面をモザイク状にする格子を形成する。前記第２の各多角形は第２の位置に第２の周辺部を有し、それぞれ第２の間隙によって隣接する第２の多角形から前記第２の周辺部に沿って分離されている。前記第２の多角形はそれぞれ、第１の各多角形と同様に、個々の特定の導電性バイアに接続され、前記導電性バイアは前記基板を横切り、前記基板の前記下部表面上の前記導電層に接続されている。導電層は接地電位である。
【００１４】
半導体構造は前記第２の多角形上に取り付けられている。半導体構造は前記導電路と接続される複数の電気接触部を有するが、前記第２の多角形から電気的に絶縁されている。
【００１５】
第１及び第２の多角形は六角形、三角形、八角形または任意の他の正多角形である。
【００１６】
多角形の２つの層が使用されるとき、第１及び第２の多角形は異なる位置を中心としている。第２の多角形の位置は第１の間隙よりも大きい量だけ、基板表面に沿って第１の多角形の位置から分離されている。典型的に、第１の多角形と第２の多角形の幅が等しく、等しい形状と周辺部を有するとき、第２の多角形は１つの第１の多角形の幅の１／２だけ第１の多角形から分離されている。第１及び第２の多角形は同一でも、または異なっていてもよい。第１の多角形、したがってそれらの周辺部の大きさは第２の多角形と同一であってもよく、あるいは大きくても小さくてもよい。
【発明を実施するための最良の形態】
【００１７】
本発明は例えばアルミナ、ＬＴＣＣ（低温共焼成セラミック）およびＨＴＣＣ（高温共焼成セラミック）のようなハイブリッド基板上に電磁バンドギャップ（ＥＢＧ）多角形からなる１以上の層を設けることによるハイブリッドアセンブリにおける改良された漏話抑制装置及び方法を開示する。
【００１８】
ＥＢＧ多角形はハイブリッドの動作において入力／出力／パワーおよび接地ピン間で高い動作周波数（１０乃至２０Ｇｈｚ）での望ましくない表面／導波体モードにより誘起される漏話を減少する。
【００１９】
図１は、相互接続手段のためのバンプ105、107、109を使用して、半導体構造103がホスト基板101の上部表面111に取り付けられている従来技術のハイブリッドの典型的な構造を示している。基板101はその上部表面111上に付着された上部金属化層を有する。導電路113、115は金属化層からエッチングされ、バンプ105、107、109をそれらのそれぞれの信号、接地電位または電源に接続する。それにより、バンプ105、107、109は半導体構造103上に位置するパッド（図示せず）と共に接続されている電気路を形成し、したがってバンプ105、107、109からの信号、接地電位またはパワーを半導体構造103内の特定位置へ導電的に転送するための通路を提供する。半導体構造の１例はモノリシック集積回路、ＭＭＩＣである。ＭＭＩＣは典型的に技術でよく知られているように半導体、キャパシタ、抵抗を具備することができる。
【００２０】
図１の構造では、高い周波数（１０乃至２０Ｇｈｚ）で、信号は基板101の上部表面111に沿って伝送する。上部表面111は半導体構造103と共に導波体状の構造を形成する。この導波体状の通路はそれらが意図する目的地からの高い周波数の信号を不所望に伝播する傾向がある。この不所望な伝播の１つの機構は基板101の上部表面111と半導体構造109との境界面に沿った表面／導波体モードである。例えばバンプ105を目的地とする信号は表面／導波体モードを介して上部表面111に沿って、バンプ107のような目的としない地点へも伝送される可能性がある。したがって、バンプ105に与えられた信号の一部がバンプ107に不所望に現れ、漏話、干渉を起こし、それ故ハイブリッド動作を劣化する。バンプ109は同様にバンプ107からの高い周波数の信号を受けやすい。
【００２１】
図２は、バンプ105からバンプ107への不所望な表面／導波体モードを最小にするために使用される従来技術の手段を示している。ここではバンプ202は表面／導波体モードをによってバンプ105からバンプ107へ電磁エネルギが不所望に伝播するのを防止または最小にするためにバンプ105と107との間に導入されている。バンプ202は接地されており、バンプ107とバンプ105との間の空間を実効的に減少し、それによってバンプ107からバンプ105に到達する表面／導波体モードエネルギを減衰させる。バンプ202の導入は、バンプ105からバンプ107への不所望な電磁エネルギの伝送を最小にするが、基板101の表面領域と、半導体構造103の物理的寸法を増加させる。これは価格を増加し、サイズの増加のためにさらに半導体構造103を他の干渉電磁エネルギの受信に対して露出する。さらにバンプ202はバンプ109に対する漏話をほとんど軽減しない。
【００２２】
例えば、図２の構造では、半導体構造103は２５ミルの厚さの砒化ガリウムであり、基板101は５０ミルの厚さのアルミナである。
【００２３】
図３は、本発明による図２よりも優れた改良を示している。周期的な電磁バンドギャップ、即ちＥＢＧ（時には光子バンドギャップＰＢＧとも呼ばれる）は、阻止帯と低速度波特性を示す六角形（正多角形）からなる格子構造であり、105、107、109のような信号バンプ間の基板101の上部表面111をモザイク状にする。この六角形は例えば105、107、109のような信号バンプから電気的に分離している。本発明は動作の特有の周波数帯域において表面／導波体モードを使用する電磁エネルギの伝播を最小にするためにＥＢＧ格子構造を使用する。図３に示されているように、301のような六角形素子からなるＥＢＧ格子は基板101の上部表面をモザイク状にする。複数の六角形素子301は通常基板101に印刷される単一層のＥＢＧ格子構造303を形成する。バンプ107からバンプ105の方向へ伝送する望ましくない信号はＥＢＧ格子303の効果に遭遇し、減衰される。ｔとして示されている格子構造303の厚さｔは格子構造303を基板101に印刷するために使用されるインクのタイプ、減衰されるべき周波数帯域、半導体構造103の物理的寸法にしたがって、例えば１乃至３ミル程度である。
【００２４】
各周期的素子、すなわち多角形301および多角形305のようなＥＢＧ層303の多角形はバイアを使用して接地平面307に接続される．例えばバイア309はＥＢＧ層303の一部である多角形311を接地平面307に接続する。
【００２５】
２次元（２Ｄ）及び３次元（３Ｄ）の多層（３Ｄ）ＥＢＧ構造は単一層および／または多層の基板技術に適用される。一平面状の２Ｄ  ＥＢＧ構造は１つの金属化層を使用し、３Ｄ  ＥＢＧ構造は金属化層と基板層との多数の層を使用する。ここで示すＥＢＧの概念はＬＴＣＣ（低温共焼成セラミック）とＨＴＣＣ（高温共焼成セラミック）技術に応用可能である。
【００２６】
図３に示されている単一層のＥＢＧ構造の側面図が図４ではさらに詳細に示されている。図４では、ＥＢＧ層303は基板101の上部表面111に印刷されている。ＥＢＧ層303の典型的な多角形301がバンプ414と408の間に示されている。バイア418は多角形301を接地平面307に接続している。バイア416はＥＢＧ層303内の六角形のＥＢＧ多角形に接地平面307を相互接続している別の例である。ＥＢＧ素子301とバンプ408との間には距離Ｄが存在する。バンプ408は金属であり、典型的に信号、パワーまたは接地に導電的に接続される。ＤはＥＢＧ層素子301と導電性バンプ408との間の距離である。この距離Ｄは素子301とバンプ408との間に直接的な電気的接触が存在しないことを確実にする。バンプ410とバンプ412は基板101と上部表面111の上方に位置するＭＭＩＣ406に相互接続されている。ＥＢＧ層303は電気的接触を阻むためのギャップを残して、バンプ410と412との間に付着されている。
【００２７】
種々の周期的なＥＢＧ構造が基板構造上でフリップチップＭＭＩＣと共に使用される。（バイアを有する）多層の六角形格子のＥＢＧ構造が望ましくない表面／導波体電磁伝播を抑制するのに有効であることが発見された。このＥＢＧ構造は典型的な基板および基板製造技術に適合できる。六角形の格子の構築ブロックは図３に示されているように表面をモザイク状にする。六角形の構築ブロック301は多くの六角形素子の１つであり、その格子の部分は基板101の表面をモザイク状にしている。多数の他の周期的なＥＢＧ構成は同等の性能の利点を示している。例えば基板の表面は図７に示されているような周期的な格子の三角形または多角形の組合せでモザイク状にされることができる。
【００２８】
図３に示されている構成では、単一層の周期的な六角形ＥＢＧ格子がＬＴＣＣおよび／またはアルミナ基板をモザイク状にするために使用されている。単一および多数のＥＢＧ層ハイブリッドの重要なパラメータの最適化には六角形の物理的な寸法、同一層上の隣接する六角形のユニットセル間の間隔、異なる層上の六角形ユニットセル間のオーバーラップ寸法が含まれている。
【００２９】
チップ・オン・ボード構造（ＣＬＣ）は図３、４、５に示されている周期的なＥＢＧ構造の物理的寸法に実際的な限定を与える。製造およびダイ接着アセンブリの制限は、六角形形状の物理的寸法と六角形のユニットセル間の間隔を最小にすることについて制限を設ける。フリップチップＣＬＣ  ＭＭＩＣ（トップ境界条件）は望ましくないエネルギを減衰する効果が六角形セルの量に依存するので、六角形セルの実効的な周期的格子の物理的寸法を最大にすることに対して制限を与える。実際の物理的寸法は、多角形の表面がＣとして容量性を観察されることができることに注意して、所望される動作周波数から計算される。バイアは関係する周波数でインダクタンスＬを与える。ＥＢＧ材料はまたこれらの要因にも影響する。それ故、物理的構造はＬＣの平方根に比例する。
【００３０】
図４には２５ミルのアルミナ基板101の上に設けられているフリップチップ404と406（典型的にＧａＡｓ  ＣＬＣ  ＭＭＩＣ）が示されている。（接地平面を形成する）金属化された層307に接続されているバイア416と418はＥＢＧ層303からの六角形ＥＢＧ多角形を接続するために使用されている。
【００３１】
周期的なＥＢＧ素子が存在しない場合、典型的に表面モードはＭＭＩＣ404とＭＭＩＣ406に近接した基板インターフェースに存在する。例えばアルミナ基板では、これらの表面モード（漏洩エネルギ）の存在は１９ＧＨｚ近くでより著しく、アルミナ基板と、ＭＭＩＣ404とＭＭＩＣ406のフリップチップＭＭＩＣインターフェースとの間でより顕著である。Ｅフィールドの強度はアルミナ基板インターフェースの直接上およびその直接内部で最も強力であることが発見されている。
【００３２】
図８および９で詳細に示されている多層の周期的な六角形ＥＢＧ表面が存在する場合には、表面モードは依然としてアルミナ基板インターフェースに存在する。しかしながら、バンドギャップは約１４ＧＨｚ乃至２２ＧＨｚの範囲で導入される。実際に、バンドギャップ領域では、105と107のようなポート間の隔離はＥＢＧ層のために典型的に２０ｄＢだけ改良される。幾らかの隔離は低い周波数で失われる。
【００３３】
実際の動作において、多数のＥＢＧ層を使用するとき、表面波エネルギは電磁バンドギャップ構造を進行するとき、その値の数分の１まで減少される。このことは部分的なパターニング技術がこの構造で応用可能であることを示している。
【００３４】
種々の増幅器応用のために位相シフタ、フィルタ、低損失整合回路が基板上にＥＢＧ境界を挿入することにより実現されることができる。
【００３５】
図５は六角形ＥＢＧ素子301、501、503のような多角形から形成されるＥＢＧ格子を詳細に示している。素子301はバンプ408から距離Ｄだけ分離されている。各例示的な六角形のＥＢＧ素子501と503との間には、間隙Ｉが存在する。典型的に、動作周波数に応じて、六角形は側面Ｓが１０ミルであり、Ｄが２ミルであり、Ｉは約１ミルである。501、503のような各ＥＢＧ六角形はバイアを使用して接地平面に接続されている。例えば素子501はバイア505を有し、バイア505は多角形の６つの側面に関して中心であり、多角形を接地平面307（図５では図示せず）のような接地平面に接続する導電材料で形成されている。
【００３６】
図６は１つの層または２つの層構造で、基板101の上部表面111をモザイク状にするために格子で使用される多角形の別の例を示している。ＥＢＧ  八角形素子602、604、606はバンプ408から距離ＤＯだけ分離されている。ＥＢＧ  八角形素子602、604、612、614はバイア608を取り囲んでいる。正八角形の各側面はサイズＳＯである。同様に、八角形604、606、614、616はバイア610を取り囲んでいる。間隙ＩＯは隣接する八角形ＥＢＧ素子間に設けられる。各八角形ＥＢＧ素子602、604、606、614、616はバイアを使用して個々に接地平面に接続されている。図６に示されているような２つのこのような層が使用されるとき、上部層の八角形の中心は下部層のそれらのそれぞれのバイア608および610と一致する。これは中心に存在し、八角形素子を接地平面に接続するバイアが近接層に干渉せずに、他の層を通過することを可能にする。間隙ＩＯはハイブリッドの動作周波数に適合するように選択され、典型的にはＥＢＧ／バイア構造の幾何学形状により与えられるＬＣの平方根の量に比例する。第２の層が使用される場合、第２の層を形成する多角形の周辺部は八角形618、620で示されるように、第１の層のものから変位される。
【００３７】
図７は、ＥＢＧ三角形素子701、703、705を使用して本発明に応用可能なさらに別の正多角形の応用を示している。単一層のハイブリッドでは、三角形素子はバンプ408からＤＴ１隔てられ、バンプ406からＤＴ２隔てられるように配置されている。ＤＴ１はＤＴ２に等しくてもよい。間隙ＩＴはサイズＳＴの各三角形素子を分離する。三角形素子の行を形成する各三角形の中心は隣に関して変位され、それによって直接的で直線ではない通路が406と408との間に存在する。例えば素子703は素子701と705に関してバンプ408とバンプ406とを接続する軸に沿って、約（１／２）ＳＴの量だけ変位されている。各ＥＢＧ素子は接地への相互接続を介する中心を有している。２つの層のハイブリッドでは、第１の層のＥＢＧ三角形は隣接層のＥＢＧ三角形に接触せずに、スペースＩＴ中をバイアが通過するのを可能にするのに十分な量だけ第２の層の三角形に関してシフトされる。
【００３８】
多くのＥＢＧ構造が評価されたが、２層の周期的な六角形格子を有する基板は本発明の最良のモードを構成している。図５の六角形素子の概念を使用して、この２つの層構造のバンドギャップは１４−２０ＧＨｚ帯域で最適化される。図８に示されているように、第１のＥＢＧ層はそれぞれ側面寸法Ｓを有するサンプルの六角形素子804、808、810、814、820を具備している。これらの六角形素子の中心は長方形パターンＤ２×２Ｄ１でレイアウトされている。パターンは図３に示されているようにモザイク状にされた領域、例えば基板の上部がカバーされるまで重複される。サンプルの六角形素子802、806、812、816を具備する第２のＥＢＧ層は第１のＥＢＧ層の下方にあり、典型的に同じＥＢＧ材料であり、また同じ長方形パターンＤ２×２Ｄ１の寸法でレイアウトされている。この第２の層は第１の層から絶縁体により分離され、基板の表面に沿って第１の層から量Ｄ１だけシフトされ、それによって例えばバイア822、824、826、828、830のように六角形素子内で中心に位置しているバイアが隣接するＥＢＧ層のどのＥＢＧ素子にも接触せずに基板を垂直に横切ることを可能にする。絶縁体は１乃至４ミルの厚さのアルミナ、ＬＴＣＣ（低温共焼成セラミック）またはＨＴＣＣ（高温共焼成セラミック）である。
【００３９】
特定の構造について301のような多角形の形状、量、分離、体積分率を最適化する。１以上のＥＢＧ層の存在はハイブリッドの動作中に存在する可能性のある不所望な表面モードを使用する電磁エネルギの伝播を消去し、あるいは大幅に減少する。標準的な印刷技術を使用して、ＥＢＧの周期的な素子（多角形）の１以上の層を基板101に設けることは、基板の総製造価格と比較して、関連する価格をほとんど付加せずに実現することができる。
【００４０】
図８に示されている構造の側面図はさらに図９に詳細に示されている。層１の一部901である上部層の六角形素子814と820を分離する間隙Ｉが示されている。六角形素子814はバイア828を使用して接地平面307に接続されている。接地平面307は基板101の下側に位置されている導電層から形成される。六角形素子816は下部層の一部、即ち層２の903であり、これも基板101を横切るバイア830を使用して接地平面307に接続されている。層２は基板101の上部表面111と接触している。絶縁層905は層２の903を層１の901から分離している。六角形素子814と六角形素子816との間に絶縁層905が示されている。図８に示されているように、絶縁層はアルミナ、ＬＴＣＣ（低温共焼成セラミック）またはＨＴＣＣ（高温共焼成セラミック）から形成されている。
【００４１】
［方法］  
本発明のハイブリッドアセンブリの製造方法は以下のステップを含んでいる。
【００４２】
ａ）基板101の上部表面111に沿って高い周波数の信号を伝送するために例えばバンプ406と408へ接続される導電路を形成し、
ｂ）第１の電磁バンドギャップ材料から作られた第１の多角形を前記上部表面111上に形成する。これは第１のＥＢＧ層303を形成する。第１の電磁バンドギャップ層303は第１の帯域において低速度波特性を有する。
【００４３】
第１の多角形は前記上部表面111をモザイク状にする格子を形成する。各第１の多角形は周辺部を有し、各第１の多角形は隣接する多角形から周辺部に沿って間隙Ｉだけ分離されている。多角形はこれらが導電通路、例えばバンプ406、408から距離Ｄだけ分離されるように位置される。
【００４４】
ｃ）絶縁層を第１の多角形上に形成する。
【００４５】
ｄ）第２の多角形を絶縁層上に形成する。第２の多角形は第２の帯域において低速度波特性を有する第２の電磁バンドギャップ層から形成される。前記第２の多角形は前記上部表面をモザイク状にするための格子を形成する。各前記第２の多角形は第２の位置に第２の周辺部を有し、各前記第２の多角形は隣接する第２の多角形から前記第２の周辺部に沿って第２の間隙だけ分離されており、前記第２の電磁バンドギャップ層は前記導電路から第２の距離だけ分離されており、各前記第２の多角形は第２の導電性バイアに接続され、その第２の導電性バイヤは前記基板を横切り、前記基板の前記下部表面上の前記導電層に接続される。
【００４６】
ｅ）404、406のような半導体構造を前記第２の多角形の上に取り付け、前記半導体構造は414、408、410、412のような前記導電路と複数の電気接触部を有している。
【００４７】
多角形は１以上の積層構造における例えば図５のような六角形、図６のような八角形、または図７のような三角形である。
【００４８】
この明細書で述べた総ての参考文献はここで全体的に参考文献として含まれている。
【００４９】
特定の実施形態を使用する例示的な方法で示したが、開示された構造はそのように限定されることを意図していない。例えば六角形、八角形、三角形素子の多角形の例を基板表面111をモザイク状にするための周期的な格子として説明したが、その他の幾何学形状も同様に周期的な格子を生成でき、それらは本発明の構成を使用する。１及び２層のＥＢＧ構造が示されているが、この概念はそれぞれ特定の多角形を有する複数の層に容易に拡張することができる。
【００５０】
当業者は多くの変更及び変形を本発明の技術的範囲を逸脱せずにここで説明した実施形態に対して行うことができることも認識するであろう。
【図面の簡単な説明】
【００５１】
【図１】相互接続手段のためのバンプを使用して、半導体構造が基板上に取付けられている従来技術の典型的な構造の斜視図。
【図２】冗長バンプがホスト基板の上部表面に沿った望ましくない表面波の伝播を最小にするために使用される従来技術の典型的な構造の斜視図。
【図３】基板の上部表面上におけるＥＢＧ多角形を示し、このＥＢＧ多角形はＭＭＩＣへの導電路から電気的に分離している本発明の例示的な構造の斜視図。
【図４】基板の上部表面上にＥＢＧ多角形を有する本発明の例示的なハイブリッド構造の断面図。
【図５】六角形を使用して、基板表面をモザイク状にする周期的格子を示す図。
【図６】八角形からなる周期的構造を使用して、基板表面をモザイク状にするための周期的格子を示す図。
【図７】三角形からなる周期的構造を使用して、基板表面をモザイク状にするための周期的格子を示す図。
【図８】基板表面をモザイク状にするために使用される多角形からなる２つのＥＢＧ層を示し、第１の層の多角形は量Ｄ１だけ基板表面に沿って第２の層の多角形に関して変位している状態を示す図。
【図９】図８に示されているＥＢＧ多角形の２つの層を使用しているハイブリッドの垂直断面図。
【図１】
2007527629.tif 000003
【図２】
2007527629.tif 000004
【図３】
2007527629.tif 000005
【図４】
2007527629.tif 000006
【図５】
2007527629.tif 000007
【図６】
2007527629.tif 000008
【図７】
2007527629.tif 000009
【図８】
2007527629.tif 000010
【図９】
2007527629.tif 000011
【国際調査報告】
2007527629.tif 000012
2007527629.tif 000013
2007527629.tif 000014